(57)【要約】【課題】無線リンクの確立および監視のための改善された方法を提供すること。【解決手段】デュアルキャリア動作を実行する方法および装置を提供する。第１のタイマがアンカー搬送波用に開始され、第２のタイマが補助搬送波用に開始される。レイヤ１（Ｌ１）エンティティから受信される予め定義された数の無線リンク獲得指示が計数される前に、どちらかのタイマが満了することを条件に、物理チャネル失敗を宣言することができる。アップリンク送信および拡張個別チャネル（Ｅ−ＤＣＨ）動作は、物理チャネル失敗に関連する補助搬送波上で停止されてよいが、確立された物理チャネルを有するアンカー搬送波上で継続することができる。物理チャネル失敗がアンカー搬送波に関連する場合、アップリンク送信およびＥ−ＤＣＨ送信動作は、すべての搬送波上で停止される。【選択図】図３
2014140215.tif 000002
【特許請求の範囲】
【請求項１】
無線送受信ユニット（ＷＴＲＵ）によって実施される、デュアルキャリア動作を実行する方法であって、
補助搬送波について予め定義された数の無線リンク獲得指示が前記ＷＴＲＵによって受信されないことを条件に、前記補助搬送波上での物理チャネル確立失敗を宣言するステップと、
前記物理チャネル確立失敗が前記補助搬送波上で宣言されることを条件に、前記補助搬送波上でのアップリンク送信を中止するステップと、
前記物理チャネル確立失敗が前記補助搬送波上で宣言されることを条件に、前記補助搬送波上でフラクショナル個別物理チャネル（Ｆ−ＤＰＣＨ）受信を中止するステップと
を具えたことを特徴とする方法。
【発明の詳細な説明】
【技術分野】
【０００１】
本発明は、無線通信に関する。
【背景技術】
【０００２】
無線通信システムは、データネットワークへの連続的で、より高速なアクセスを提供するという要求を満たすために発展し続けている。これらの要求を満たすために、無線通信システムは、データを送信するために複数の搬送波を使用することができる。データを送信するために複数の搬送波を使用する無線通信システムは、マルチキャリアシステムと呼ぶことができる。複数の搬送波の使用は、セルラ無線システムと非セルラ無線システムの両方で拡大しつつある。
【０００３】
マルチキャリアシステムは、どれほどの複数個の搬送波が使用可能であるかに従って、無線通信システム内で使用可能な帯域幅を増大することができる。たとえば、デュアルキャリアシステムは、シングルキャリアシステムに比べて帯域幅を２倍にすることができ、またトライキャリアシステムは、シングルキャリアシステムに比べて帯域幅を３倍にすることとなる。このスループットゲインに加えて、ダイバシティおよびジョイントスケジューリングのゲインをも期待することができる。これにより、エンドユーザにとってのサービス品質（ＱｏＳ）が改善される可能性がある。さらに、複数の搬送波の使用を、多重入力・多重出力（ＭＩＭＯ）と組み合わせて使用することができる。
【０００４】
例として、第３世代パートナーシッププロジェクト（３ＧＰＰ）システムでは、セル２重化高速ダウンリンクパケットアクセス（ＤＣ−ＨＳＤＰＡ）と呼ばれる新しい機能が、３ＧＰＰ仕様のリリース８（Ｒ８）において導入されている。ＤＣ−ＨＳＤＰＡの場合、基地局は、同時に２つのダウンリンク搬送波にわたって無線送受信ユニット（ＷＴＲＵ）に通信する。ＤＣ−ＨＳＤＰＡは、ＷＴＲＵにとって使用可能な帯域幅およびピークデータ転送速度を２倍にすることに加えて、２つの搬送波にわたる高速スケジューリングおよび高速チャネルフィードバックによりネットワーク効率を高める可能性がある。
【０００５】
ＤＣ−ＨＳＤＰＡ動作の場合、各ＷＴＲＵには、２つのダウンリンク搬送波、すなわちアンカー搬送波および補助搬送波が割り当てられる。アンカー搬送波は、高速ダウンリンク共有チャネル（ＨＳ−ＤＳＣＨ）、拡張個別チャネル（Ｅ−ＤＣＨ）、および個別チャネル（ＤＣＨ）動作などトランスポートチャネルに関連付けられたすべての物理レイヤの個別制御チャネルおよび共有制御チャネルを搬送する。そのような物理レイヤチャネルは、例として、フラクショナル個別物理チャネル（Ｆ−ＤＰＣＨ）、Ｅ−ＤＣＨハイブリッド自動再生要求（ＨＡＲＱ）インジケータチャネル（Ｅ−ＨＩＣＨ）、Ｅ−ＤＣＨ相対的許可チャネル（Ｅ−ＲＧＣＨ）、Ｅ−ＤＣＨ絶対的許可チャネル（Ｅ−ＡＧＣＨ）、共通パイロットチャネル（ＣＰＩＣＨ）、高速共有制御チャネル（ＨＳ−ＳＣＣＨ）、および高速物理ダウンリンク共有チャネル（ＨＳ−ＰＤＳＣＨ））を含む。補助搬送波は、ＷＴＲＵ用のＣＰＩＣＨ、ＨＳ−ＳＣＣＨ、およびＨＳ−ＰＤＳＣＨを搬送することができる。アップリンク送信は、現行のシステムでは単一の搬送波上に残されている。高速個別物理制御チャネル（ＨＳ−ＤＰＣＣＨ）フィードバック情報は、アップリンク搬送波上でノードＢに送られるが、各ダウンリンク搬送波についての情報を含む。
【０００６】
この機能を、隣接していないダウンリンク（ＤＬ）搬送波（たとえば、異なる周波数帯域内の搬送波）に拡張することが提案されている。また、セル２重化の概念をアップリンクに拡張することも提案されている。したがって、ＷＴＲＵは、２つの搬送波上で送信し、２つの搬送波上で受信することができる。
【０００７】
広帯域符号分割多元接続（ＷＣＤＭＡ）およびＨＳＰＡでは、ＷＴＲＵが、ＤＬ個別物理制御チャネル（ＤＰＣＣＨ）またはＦ−ＤＰＣＨの品質を評価することによって、また個別物理データチャネル（ＤＰＤＣＨ）（それが設定されている場合において）上での巡回冗長検査（ＣＲＣ）を監視することによって、リンクの品質を監視する。物理レイヤは、特定の基準に従って、無線リンク獲得指示および無線リンク失敗指示をＷＴＲＵ内の無線リソースコントローラ（ＲＲＣ）レイヤにレポートする。ＲＲＣレイヤは、その無線リンク獲得指示および無線リンク失敗指示を処理し、無線リンク失敗が発生したと決定することができる。より具体的には、ＷＴＲＵ内のＲＲＣが、予め定義された数（たとえば、Ｎ３１３）の無線リンク失敗指示を受信した場合、ＷＴＲＵは、所定のタイマ（たとえば、Ｔ３１５）を始動する。この所定のタイマが満了する前に予め定義された数（たとえば、Ｎ３１５）の無線リンク獲得指示をＷＴＲＵが受信しない場合には、無線リンク失敗が宣言される。
【０００８】
異なる周波数帯域内の搬送波を用いてセル２重化（またはマルチセル）動作が実行されるとき、これらの２つの帯域間でリンク品質が相当に異なることがかなり起りえる。たとえば、ＷＴＲＵが屋内に移動し、その屋内の透過特性が２つの帯域の一方で良好である場合、無線リンクは２つの帯域の一方で維持される可能性がある。この状況が生じたとき、ＷＴＲＵがネットワークとのその接続の中断を最小限に抑えるためにどのように挙動するべきかが明らかでない。現在、複数の搬送波という状況で無線リンク失敗を処理する機構は存在しない。
【発明の概要】
【発明が解決しようとする課題】
【０００９】
したがって、無線リンクの確立および監視のための改善された方法が求められている。
【課題を解決するための手段】
【００１０】
デュアルキャリア動作を実行するための方法および装置について説明する。第１のタイマがアンカー搬送波用に開始され、第２のタイマが補助搬送波用に開始される。レイヤ１（Ｌ１）エンティティから受信される予め定義された数の無線リンク獲得指示が計数される前に、どちらかのタイマが満了したことを条件として、物理チャネル失敗を宣言することができる。アップリンク送信およびＥ−ＤＣＨの動作は、物理チャネル失敗に関連する補助搬送波上で停止されるが、確立された物理チャネルを有するアンカー搬送波上では継続され得る。物理チャネル失敗がアンカー搬送波に関連する場合には、アップリンク送信およびＥ−ＤＣＨ送信の動作は、すべての搬送波上で停止される。
【００１１】
より詳細な理解を、添付の図面と共に、例として与えられている以下の説明から得ることができる。
【図面の簡単な説明】
【００１２】
【図１Ａ】アップリンク送信が単一の搬送波を使用して処理され、ダウンリンク送信が複数の搬送波を使用して処理される、無線通信システムの一例を示す図である。
【図１Ｂ】アップリンク送信が複数の搬送波を使用して処理され、ダウンリンク送信が複数の搬送波を使用して処理される、無線通信システムの一例を示す図である。
【図１Ｃ】図１Ｂの無線通信システム内に存在するＷＴＲＵおよびノードＢの一例を示す機能ブロック図である。
【図１Ｄ】図１ＣのＷＴＲＵ内のプロセッサの追加的な詳細を示す図である。
【図２】デュアルキャリア動作を開始し搬送波を監視するための手順を示す流れ図である。
【図３】デュアルキャリア動作を開始し搬送波を監視するための手順を示す流れ図である。
【図４Ａ】デュアルキャリア動作を開始し搬送波を監視するための手順を示す流れ図である。
【図４Ｂ】デュアルキャリア動作を開始し搬送波を監視するための手順を示す図である。
【発明を実施するための形態】
【００１３】
「無線送受信ユニット（ＷＴＲＵ）」という用語は、以下で参照されたとき、それだけには限らないが、ユーザ機器（ＵＥ）、移動局、固定型もしくは移動型加入者ユニット、ページャ、セルラ電話、個人用の携帯情報端末（ＰＤＡ）、コンピュータ、または無線環境内で動作することが可能な任意の他のタイプのデバイスを含む。
【００１４】
「基地局」という用語は、以下で参照されたとき、それだけには限らないが、ノードＢ、サイトコントローラ、アクセスポイント（ＡＰ）、または無線環境内で動作することが可能な任意の他のタイプのインターフェース用デバイスを含む。
【００１５】
ネットワークは、少なくとも１つのダウンリンク搬送波および／または少なくとも１つのアップリンク搬送波を、それぞれアンカーダウンリンク搬送波およびアンカーアップリンク搬送波として割り当てることができる。マルチキャリア動作では、ＷＴＲＵが、周波数またはセルとも呼ばれる、２つ以上の搬送波を用いて動作するように設定されることができる。これらの搬送波のそれぞれが、相異なる特性を有することができ、ネットワークおよびＷＴＲＵとの論理結合を有することができ、動作周波数がグループ化されて、アンカー搬送波または一次搬送波、および補助搬送波または二次搬送波と呼ばれることがある。以下、「アンカー搬送波」と「一次搬送波」、および「補助搬送波」と「二次搬送波」という用語は、それぞれ交換可能に使用されることになる。３つ以上の搬送波が設定されている場合、ＷＴＲＵは、２つ以上の一次搬送波および／または２つ以上の二次搬送波を持つことができる。本明細書で述べられている実施形態は、これらのシナリオにも同様に適用可能かつ拡張可能である。たとえば、アンカー搬送波は、ダウンリンク送信／アップリンク送信のための、特定の１組の制御情報を搬送するための搬送波として定義することができる。アンカー搬送波として割り当てられていない搬送波は、補助搬送波とすることができる。あるいは、ネットワークはアンカー搬送波を割り当てなくてもよく、どのダウンリンク搬送波またはアップリンク搬送波にも、優先順位、優先権（ｐｒｅｆｅｒｅｎｃｅ）、またはデフォルトステータスを与えなくてもよい。以下、本明細書では、「アンカー搬送波」、「一次搬送波」、「アップリンク搬送波１」、「第１の搬送波」および「第１のアップリンク搬送波」という用語は、便宜上、交換可能に使用される。同様に、本明細書では、「補助搬送波」「二次搬送波」「アップリンク搬送波２」「第２の搬送波」および「第２のアップリンク搬送波」という用語もまた、交換可能に使用される。マルチキャリア動作の場合、２つ以上の補助搬送波または二次搬送波が存在し得る。
【００１６】
図１Ａは、アップリンク送信が単一の搬送波１５を使用して処理され、ダウンリンク送信が複数の搬送波２０を使用して処理される無線通信システム１０の一例を示す。無線通信システム１０は、複数のＷＴＲＵ２５と、ノードＢ３０と、無線ネットワーク制御コントローラ（ＣＲＮＣ）３５と、サービング無線ネットワークコントローラ（ＳＲＮＣ）４０と、コアネットワーク４５とを含む。ノードＢ３０およびＣＲＮＣ３５は、まとめてＵＴＲＡＮと呼ぶことができる。
【００１７】
図１Ａに示されているように、ＷＴＲＵ２５はノードＢ３０と通信し、ノードＢ３０は、ＣＲＮＣ３５およびＳＲＮＣ４０と通信する。図１Ａには３つのＷＴＲＵ２５、１つのノードＢ３０、１つのＣＲＮＣ３５、および１つのＳＲＮＣ４０が示されているが、任意の組合せの無線デバイスおよび有線デバイスが無線通信システム１０に含まれてもよいことを理解されたい。
【００１８】
図１Ｂは、アップリンク送信が複数の搬送波５５を使用して処理され、ダウンリンク送信が複数の搬送波６０を使用して処理される無線通信システム５０の一例を示す。無線通信システム５０は、複数のＷＴＲＵ１００と、ノードＢ１５０と、ＣＲＮＣ１３５と、ＳＲＮＣ１４０と、コアネットワーク１４５とを含む。ノードＢ１５０およびＣＲＮＣ１３５は、まとめてＵＴＲＡＮと呼ぶことができる。
【００１９】
図１Ｂに示されているように、ＷＴＲＵ１００はノードＢ１５０と通信し、ノードＢ１５０は、ＣＲＮＣ１３５およびＳＲＮＣ１６０と通信する。図１Ｂには３つのＷＴＲＵ１００、１つのノードＢ１５０、１つのＣＲＮＣ１３５、および１つのＳＲＮＣ１４０が示されているが、任意の組合せの無線デバイスおよび有線デバイスが無線通信システム５０に含まれてもよいことを理解されたい。
【００２０】
図１Ｃは、図１Ｂの無線通信システム５０のＷＴＲＵ１００およびノードＢ１５０の機能ブロック図である。図１Ｃに示されているように、ＷＴＲＵ１００はノードＢ１５０と通信し、どちらも、ＷＴＲＵ１００からのアップリンク送信が複数のアップリンク搬送波６５を使用してノードＢ１５０に送信され、ダウンリンク送信が複数の搬送波７０を使用して処理される方法を実行するように設定されている。ＷＴＲＵ１００は、アンテナ１０５と、受信機１１０と、送信機１１５と、プロセッサ１２０と、メモリ１２２と、典型的なＷＴＲＵに見出すことができる他の構成要素（図示せず）とを含む。アンテナ１０５は、複数のアンテナ素子を含むことができ、または複数のアンテナがＷＴＲＵ１００に含まれてもよい。メモリ１２２は、オペレーティングシステムおよびアプリケーションを含めて、ソフトウェアを格納するように設けられる。プロセッサ１２０は、複数のアップリンク搬送波を用いたアップリンク送信を実行する方法を、単独で、またはソフトウェアおよび／もしくはこれらの構成要素のいずれか１つもしくは複数と関連して実行するように設けられる。受信機１１０および送信機１１５は、プロセッサ１２０と通信する。受信機１１０および送信機１１５は、１つまたは複数の搬送波を同時に送受信することが可能である。あるいは、複数の受信機および／または複数の送信機がＷＴＲＵ１００に含まれてもよい。アンテナ１０５は、受信機１１０とも送信機１１５とも通信し、無線データの送受信を容易にする。
【００２１】
ノードＢ１５０は、アンテナ１５５と、受信機１６０と、送信機１６５と、プロセッサ１７０と、メモリ１７２と、典型的な基地局に見出すことができる他の構成要素（図示せず）とを含む。アンテナ１５５は、複数のアンテナ素子を含むことができ、または複数のアンテナがノードＢ１５０に含まれてもよい。メモリ１７２は、オペレーティングシステムおよびアプリケーションを含めて、ソフトウェアを格納するように設けられる。プロセッサ１７０は、ＷＴＲＵ１００からのアップリンク送信が、下記で開示される実施形態に従って、複数のアップリンク搬送波を使用してノードＢ１５０に送信される方法を、単独で、またはソフトウェアおよび／もしくはこれらの構成要素のいずれか１つもしくは複数と関連して実行するように設けられる。受信機１６０および送信機１６５は、プロセッサ１７０と通信する。受信機１６０および送信機１６５は、１つまたは複数の搬送波を同時に送受信することが可能である。あるいは、複数の受信機および／または複数の送信機がノードＢ１５０に含まれてもよい。アンテナ１５５は、受信機１６０とも送信機１６５とも通信し、無線データの送受信を容易にする。
【００２２】
図１Ｄは、ＷＴＲＵ１００内のプロセッサ１２０の追加的な詳細を示す。図１Ｄに示されているように、プロセッサ１２０は、複数の予め定義されたタイマ１２５1、１２５2、．．．、１２５Nと、複数のカウンタ１３０1、１３０2、１３０3、１３０4、．．．、１３０Nとを含むことができる。
【００２３】
１つのシナリオでは、デュアルキャリア（すなわちセル２重化）動作またはマルチキャリア（すなわちマルチセル）動作が、複数の並列電力制御ループを用いてアップリンク（ＵＬ）とＤＬの両方で実行される。各ＤＬ搬送波がＵＬ搬送波と関連付けられ、このＤＬ搬送波の物理チャネル（たとえば、Ｆ−ＤＰＣＨ）が、対応するＵＬ搬送波の制御チャネル（たとえば、ＤＰＣＣＨ）に関連付けられる。
【００２４】
別のシナリオでは、デュアルキャリア動作またはマルチキャリア動作が、電力制御用のＵＬ搬送波に関連付けられていない少なくとも１つのＤＬ搬送波を使用して、ＤＬにおいて実行される。したがって、物理チャネル（たとえば、Ｆ−ＤＰＣＨ）は、ＤＬ搬送波によって送信されない。
【００２５】
無線リンク確立手順
ＲＲＣ設定メッセージによりＷＴＲＵ１００がＣＥＬＬ＿ＤＣＨ（個別チャネルが確立および維持され、個別通信を容易にする）に入り、ＷＴＲＵ１００にデュアルキャリア動作のための新しい物理チャネル設定が与えられた場合、ＷＴＲＵ１００は、物理個別チャネル確立手順を開始することができる。２つの物理個別チャネル確立手順をＷＴＲＵ１００で実行することができる。したがって、１つのそのような手順が各搬送波について個別に実行される。
【００２６】
１つの方法によれば、カウンタ１３０は、各搬送波（すなわち、アンカー搬送波および補助搬送波）について別々に維持される。対応する物理チャネル確立手順が、対応する搬送波について開始されたとき、別々のタイマ１２５（たとえば、Ｔ３１２）が搬送波のそれぞれについて開始される。ＷＴＲＵ１００内の少なくとも１つのカウンタ１３０により、各搬送波についてレイヤ１から受信される無線リンク獲得指示の予め定義された数（たとえば、Ｎ３１２）に達したかどうかが決まり、物理個別チャネルが確立されたかどうかが決まる。物理個別チャネルが確立される前に特定の１つの搬送波についてタイマ１２５（たとえば、Ｔ３１２）が満了した場合には、ＷＴＲＵ１００は、これをその特定の搬送波についての物理個別チャネル確立失敗とみなす。ＷＴＲＵ１００は、一方の搬送波が失敗すると直ちに、または両搬送波がこの手順に失敗した場合、完全な「物理チャネル失敗」を宣言することができる。あるいは、ＷＴＲＵ１００は、補助搬送波が物理個別チャネル確立に成功したとしてもアンカー搬送波について手順が失敗した場合、「物理チャネル失敗」とみなすことができる。
【００２７】
図２は、デュアルキャリア動作を開始し、搬送波を監視するための手順２００の流れ図である。ＷＴＲＵ１００がデュアルキャリア動作を開始する（２０５）。ＷＴＲＵは、ネットワークによる１つまたは複数の明示的な指示（たとえば、ＲＲＣシグナリングまたはＨＳ−ＳＣＣＨ活動化命令を使用する）に従ってデュアルキャリア動作を開始することができる。ＷＴＲＵ１００内の第１のタイマ１２５1（たとえば、Ｔ３１２）がアンカー搬送波用に開始される（２１０）（たとえば、任意選択で、指示または予め定義された活動化時間で、ネットワークによる明示的な指示を受信したとき）。ＷＴＲＵ１００内の第２のタイマ１２５2（たとえば、Ｔ３１２）が補助搬送波用に開始される（２１５）（たとえば、任意選択で、指示または予め定義された活動化時間で、ネットワークによる明示的な指示を受信したとき）。ＷＴＲＵ１００内の第１のカウンタ１３０1を使用し、アンカー搬送波についての無線リンク獲得指示の数を監視する（２２０）。ＷＴＲＵ１００内の第２のカウンタ１３０2を使用し、補助搬送波についての無線リンク獲得指示の数を監視する（２２５）。次いで、無線リンク獲得指示の予め定義された数（たとえば、Ｎ３１２）に達したと第１カウンタ１３０1および第２のカウンタ１３０2によって決まる前に、第１のタイマ１２５1または第２のタイマ１２５2のどちらかが満了したか否かについて判定される（２３０）。予め定義された数の無線リンク獲得指示は、搬送波のそれぞれについて、同じであっても、異なっていてもよい。無線リンク獲得指示の予め定義された数に達していなかった場合、物理チャネル失敗が宣言／レポート（通報）され（２３５）、ＷＴＲＵ１００は、物理チャネル失敗に関連する搬送波上でのアップリンク送信を停止し、確立された物理チャネルを有する搬送波上でのアップリンク送信を継続する（２４０）。無線リンク獲得指示の予め定義された数に達した場合には、ダウンリンク物理個別チャネルが確立されているとみなされる。
【００２８】
代替の物理チャネル確立方法では、ネットワークによる１つまたは複数の明示的な指示を受信したことに続いてデュアルキャリア物理チャネル確立手順が開始されたとき、ＷＴＲＵ１００は、タイマ１２５（たとえば、Ｔ３１２）を始動し、搬送波のいずれかから予め定義された数（たとえば、Ｎ３１２）の無線リンク獲得指示を待つことができる。この基準（ｃｒｉｔｅｒｉｏｎ）が２つの搬送波のどちらかについて満たされた場合、ＷＴＲＵ１００は、タイマ１２５を停止し、それをリセットする。次いで、物理個別チャネルが両搬送波上で確立されているとみなされる。ＷＴＲＵ１００内のカウンタ１３０により、アンカー搬送波についてのレイヤ１から予め定義された数（たとえば、Ｎ３１２）の無線リンク獲得指示を受信したと決まり、物理個別チャネルが確立しているとみなされる場合には、タイマ１２５を停止およびリセットすることができる。
【００２９】
図３は、デュアルキャリア動作を開始して搬送波を監視するための手順３００の流れ図である。ＷＴＲＵ１００がデュアルキャリア動作を開始する（３０５）。ＷＴＲＵ１００内の第１のタイマ１２５1（たとえば、Ｔ３１２）がアンカー搬送波用に開始される（３１０）。ＷＴＲＵ１００内の第２のタイマ１２５2（たとえば、Ｔ３１２）が補助搬送波用に開始される（３１５）。ＷＴＲＵ１００内の第１のカウンタ１３０1を使用し、アンカー搬送波についての無線リンク獲得指示の数を監視する（３２０）。ＷＴＲＵ１００内の第２のカウンタ１３０2を使用し、補助搬送波についての無線リンク獲得指示の数を監視する（３２５）。次いで、第１のタイマ１２５1および第２のタイマ１２５2が満了する前に、それぞれ第１のカウンタ１３０1または第２のカウンタ１３０2のどちらかによって計数される無線リンク獲得指示の予め定義された数（たとえば、Ｎ３１２）に達したか否かについて判定される（３３０）。無線リンク獲得指示の予め定義された数に達した場合、第１のタイマ１２５1および第２のタイマ１２５2が停止およびリセットされる（３３５）。無線リンク獲得指示の予め定義された数に達していなかった場合、物理チャネル失敗が宣言／レポートされ（３４０）、ＷＴＲＵ１００は、物理チャネル失敗に関連する搬送波上でのアップリンク送信を停止し、確立された物理チャネルを有する搬送波上でアップリンク送信を継続する（３４５）。
【００３０】
ユニバーサル移動体通信システム（ＵＭＴＳ）では、ネットワークは、物理チャネル確立を促進するために「後検証（ｐｏｓｔ−ｖｅｒｉｆｉｃａｔｉｏｎ）」を使用するようにＷＴＲＵ１００を設定することができる。ハイレベルで、物理チャネル確立手順が開始されたとき、従来のシングルキャリア動作について後検証が設定されると、ＷＴＲＵ１００は、直ちにアップリンク送信を開始し、ある時間枠（たとえば、４０ｍｓ）後に、ダウンリンクチャネル（ＤＰＣＣＨまたはＦ−ＤＰＣＨ）の品質を検証する。レポートされた品質が閾値未満である場合、ＷＴＲＵ１００は、アップリンク送信を停止し、同期手順を正常に継続する。ＷＴＲＵ１００は、ダウンリンクチャネルが確立されるのを待ち、アップリンク送信を再開する。
【００３１】
デュアルキャリア動作では、両搬送波について独立に後検証を設定することができる。
したがって、ＷＴＲＵ１００は、物理個別チャネル確立が２つの搬送波のどちらかについてＷＴＲＵ１００によって開始されたとき、両アップリンク搬送波上で送信を開始することができる。あるいは、後検証をアンカー搬送波上で可能にすることができ、その場合には、後検証が設定されている場合、アップリンクでの送信がアンカー搬送波上で開始される。ＷＴＲＵ１００は、物理個別チャネル確立の基準が補助搬送波で、または両搬送波で成功したとみなされる場合には、補助搬送波上でアップリンク送信を開始することができる。そうでない場合には、ＷＴＲＵ１００は、送信機１１５をオフにし、後検証が失敗したとみなす。ＷＴＲＵ１００は、ＵＬ上で送信せず、より高いレイヤの命令（たとえば、ダウンリンク物理個別チャネルが確立されているという指示）を待ってから、アップリンク送信を再開する。
【００３２】
一方の搬送波上で物理個別チャネル確立失敗が検出され、他方の搬送波が確立された物理個別チャネルを有するとみなされた後で、ＷＴＲＵ１００は、失敗した搬送波上でのＵＬ送信を停止し、その送信機１１５をシャットオフし、（適用可能な場合）その搬送波上で後検証が失敗したとみなすことができる。
【００３３】
また、ＷＴＲＵ１００は、確立された物理個別チャネルを有する搬送波上で送受信を継続することも、物理個別チャネル確立が一方の搬送波上で失敗したことをネットワークに示すＲＲＣメッセージを送ることもできる。ＷＴＲＵ１００は、成功した再設定手順（すなわち、ＲＲＣ再設定完了メッセージ）をレポートすることができる。しかし、ＲＲＣメッセージは、一方の搬送波上で失敗が発生したこと、またはアンカー搬送波上で失敗が発生したことを示すように拡張されてもよい。あるいは、失敗を示すために、新しいＲＲＣメッセージを定義してもよい。
【００３４】
ＷＴＲＵ１００は、そのような失敗を示す測定レポート（報告）を送ることも、ＲＲＣ再設定失敗メッセージで応答することもできる。しかし、失敗メッセージは、１つの搬送波が失敗したこと（すなわち、補助搬送波、またはアンカー搬送波、または両方が失敗したこと）をレポートするように拡張されてもよい。「失敗原因」は、補助物理チャネル失敗、アンカー物理チャネル失敗、または単に全物理チャネル失敗に拡張されてもよい。ＷＴＲＵ１００は、チャネル失敗を示すためにチャネル品質インジケータ（ＣＱＩ）の特別な値をレポートすることも、ＣＱＩをレポートしないようにする（すなわち、ＣＱＩを不連続送信（ＤＴＸ）にする）こともできる。あるいは、レイヤ２（Ｌ２）メッセージを使用することができる。失敗がネットワークにレポートされた後で、ＷＴＲＵ１００は、成功した搬送波上でシングルキャリア動作を継続することができる。また、ＷＴＲＵ１００は、二次搬送波上での任意の送受信手順を、その手順が失敗したとき直ちに停止することも、ネットワークからの明示的な指示を待つこともできる。
【００３５】
現在指定されているように、シングルキャリア動作の場合、物理チャネル失敗が発生した後で、ＷＴＲＵ１００は、その以前の設定に戻ることができる。しかし、デュアルキャリア動作の場合、ＷＴＲＵ１００は、１つの搬送波の物理個別チャネル確立が失敗した場合でさえ、成功した搬送波上でシングルキャリア動作を継続することができる。より具体的には、アンカー搬送波物理チャネル確立が成功し、二次搬送波物理チャネル確立が失敗した場合、ＷＴＲＵは、アンカー搬送波上で動作を継続することができる。同様に、二次搬送波物理チャネル確立が成功し、アンカー搬送波物理チャネル確立が失敗した場合、ＷＴＲＵは、二次搬送波上で動作を継続することができる。
【００３６】
アンカー搬送波と補助搬送波が共に物理個別チャネル確立に失敗した場合、ＷＴＲＵ１００は、物理チャネル失敗を宣言し、その失敗をＲＲＣ失敗メッセージでレポートすることができる。したがって、ＷＴＲＵ１００は、次いで旧設定に戻ることができる。
【００３７】
あるいは、ＷＴＲＵ１００は、一方の搬送波が失敗した場合でさえ物理チャネル失敗を宣言することができる。このシナリオでは、ＷＴＲＵ１００は、両搬送波が物理個別チャネル確立に失敗した場合と同様に働くことができる。
【００３８】
複数の電力制御ループを用いた無線リンク監視
複数の並列電力制御ループ（すなわち、送信電力制御（ＴＰＣ）コマンドを交換するＦ−ＤＰＣＨチャネルとＤＰＣＣＨチャネルの２つ以上の対）がある場合、ＷＴＲＵ１００は、各セル上のＤＬのＦ−ＤＰＣＨチャネルの品質を独立に監視することができる。したがって、物理レイヤは、各搬送波について独立に、より高いレイヤ（たとえば、ＲＲＣレイヤ）に無線リンク獲得指示および無線リンク失敗指示をレポートする。しかし、無線リンク獲得指示および無線リンク失敗指示をレポートするための基準は、シングルキャリア動作の場合と同じままである。ロングタームエボリューション（ＬＴＥ）システムでは、電力制御ループがないが、ＷＴＲＵ１００は、物理個別制御チャネル（ＰＤＣＣＨ）の復号元である各搬送波の品質を独立に監視することができる。
【００３９】
無線リンク獲得指示および無線リンク失敗指示をより高いレイヤで処理すること、およびＷＴＲＵ１００が行うアクションには、様々な可能性がある。
【００４０】
ＷＴＲＵ１００では、無線リンク失敗指示および無線リンク獲得指示を計数するように設定された別個のカウンタ１３０、ならびにタイマ１２５が、各搬送波について維持される。ＷＴＲＵ１００は、各搬送波に関連するそれぞれのカウンタ１３０およびタイマ１２５を使用することによって、いずれかの搬送波に無線リンク失敗があるかどうか別々に判定することができる。したがって、所与の搬送波について予め定義された数（たとえば、Ｎ３１３）の無線リンク失敗指示を受信したとき、その搬送波上でタイマ１２５（たとえば、Ｔ３１３）が始動され、予め定義された数（たとえば、Ｎ３１５）の無線リンク獲得指示が受信される前にタイマ１２５が満了した場合、無線リンク失敗が決定される。タイマ１２５の値、および無線リンク獲得指示および無線リンク失敗指示の数（たとえば、Ｎ３１３、Ｎ３１５）は、両搬送波について同じであっても、異なっていてもよい。
【００４１】
一緒に参照する図４Ａおよび図４Ｂは、デュアルキャリア動作中に搬送波を監視するための手順４００の流れ図である。無線リンク失敗指示の数が、第１のカウンタ１３０1を使用してアンカー搬送波について監視される（４０５）。無線リンク失敗指示の数が、第２のカウンタ１３０2を使用して補助搬送波について監視される（４１０）。アンカー搬送波についての無線リンク失敗指示の第１の予め定義された数（たとえば、ＵＭＴＳの場合Ｎ３１３、ＬＴＥの場合Ｎ３１０）に達したと第１のカウンタ１３０1によって決まることを条件に、第１のタイマ１２５1（たとえば、ＵＭＴＳの場合Ｔ３１３、ＬＴＥの場合Ｔ３１０）が開始される（４１５）。補助搬送波についての無線リンク失敗指示の第２の予め定義された数に達したと第２のカウンタ１３０2によって決まることを条件に、第２のタイマ１２５2（たとえば、ＵＭＴＳの場合Ｔ３１３、ＬＴＥの場合Ｔ３１０）が開始される（４２０）。ＷＴＲＵ１００内の第３のカウンタ１３０3を使用し、アンカー搬送波についての無線リンク獲得指示の数を監視する（４２５）。ＷＴＲＵ１００内の第４のカウンタ１３０4を使用し、補助搬送波についての無線リンク獲得指示の数を監視する（４３０）。
【００４２】
次いで、第１のタイマ１２５1が満了する前にアンカー搬送波についての無線リンク獲得指示の予め定義された数（たとえば、ＵＭＴＳの場合Ｎ３１５、ＬＴＥの場合Ｎ３１１）が第３のカウンタ１３０3によって計数されたか否かについて判定される（４３５）。
無線リンク獲得指示の予め定義された数に達していなかった場合、無線リンク失敗が宣言／レポートされ（４４０）、ＷＴＲＵ１００は、すべての搬送波についてアップリンク送信およびＥ−ＤＣＨ送信動作を停止し（４４５）、セル更新手順が開始される（４５０）。ＬＴＥシステムでは、ＷＴＲＵ１００は、セキュリティが活動化されているか否かに応じて、ＲＲＣ接続再確立手順を実行し、またはＲＲＣ＿ＩＤＬＥ状態に移行する。
【００４３】
無線リンク獲得指示の予め定義された数に達した場合、第２のタイマ１２５2が満了する前に補助搬送波についての無線リンク獲得指示の予め定義された数（たとえば、ＵＭＴＳの場合Ｎ３１５、ＬＴＥの場合Ｎ３１１）が第４のカウンタ１３０4によって計数されたか否かについて判定される（４５５）。無線リンク獲得指示の予め定義された数に達した場合、第１のタイマ１２５1および第２のタイマ１２５2が停止およびリセットされる（４６０）。無線リンク獲得指示の予め定義された数に達していなかった場合、無線リンク失敗が宣言／レポートされ（４６５）、ＷＴＲＵ１００は、補助搬送波についてアップリンク送信およびＥ−ＤＣＨ送信動作を停止し、アンカー搬送波についてアップリンク送信およびＥ−ＤＣＨ送信動作を継続する（４７０）。ＬＴＥシステムでは、ＷＴＲＵ１００は、二次搬送波上でＰＤＣＣＨの受信を停止し、アンカー搬送波上でＰＤＣＣＨの受信を継続する。
【００４４】
一方の搬送波に無線リンク失敗があるとき、タイマの値のうちの１つ、または１つ以上、ならびに無線リンク失敗指示および無線リンク獲得指示の予め定義された数（たとえば、Ｎ３１３、Ｎ３１５、Ｔ３１３）に、他方の搬送波についての無線リンク状態に対する依存性（ｄｅｐｅｎｄｅｎｃｙ）が導入される。したがって、一方の搬送波についての無線リンク失敗が初めて決定された場合、ＷＴＲＵ１００は、他方の搬送波についての無線リンク失敗を決定するために、異なるタイマおよび／または指示値を使用し始めることができる。これにより、両搬送波に無線リンク失敗があると決定することが速くなる。
【００４５】
回復段階の間に無線リンク失敗指示および無線リンク獲得指示の単一のカウンタ１３０を、また両搬送波に単一の回復タイマ１２５を使用することは、より高いレイヤで無線リンク獲得指示および無線リンク失敗指示を処理するための別の可能性である。カウンタは、いずれかの搬送波の無線リンク獲得指示または無線リンク失敗指示によって（増加の）影響を受け、その結果、無線リンク失敗の決定全体に両搬送波が考慮される。
【００４６】
あるいは、ＷＴＲＵ１００は２つの異なるカウンタ１３０を維持するが、カウンタ（たとえば、Ｔ３１３）は、一方または両方の搬送波が無線リンク失敗指示の所定の数（たとえば、Ｎ３１３）をレポートした後で始動される。少なくとも１つの搬送波が無線リンク獲得指示の所定の数（たとえば、Ｎ３１５）をレポートした場合には、ＷＴＲＵ１００は、通常の動作を継続することができ、無線リンク失敗は宣言されない。
【００４７】
あるいは、ＷＴＲＵ１００は、無線リンク失敗に関する基準がアンカー搬送波で満足された場合、より高いレイヤに無線リンク失敗を宣言することができる。ＷＴＲＵ１００は、補助搬送波上のデータのダウンリンク送受信を管理するために、補助搬送波からの無線リンク失敗指示を依然として計数し続けることができる。したがって、より高いレイヤは、補助搬送波で基準が満たされていないとしても、無線失敗を宣言することができる。この基準に従って、ＷＴＲＵ１００は、両搬送波で無線リンク失敗基準が満たされた場合、より高いレイヤに無線リンク失敗を宣言することができる。
【００４８】
いずれかの搬送波で無線リンク失敗が決定されたとき、ＷＴＲＵ１００は、関連の搬送波上の無線リソースすべてを解放することを含めて、１つまたは複数のアクションを実行し、ＨＳ−ＤＰＣＣＨ報告を含めて、関連の搬送波上のＨＳ−ＤＳＣＨ受信および拡張個別チャネル（Ｅ−ＤＣＨ）送信手順（適用可能な場合）を停止することができる。後者を実行する場合、ＷＴＲＵ１００は、停止するためにネットワークからの信号を待つことができる（たとえば、アンカー搬送波または補助搬送波上の高速同期制御チャネル（ＨＳ−ＳＣＣＨ）命令、より高いレイヤからの指示、許可および／または許可範囲の特別な値を有するＥ−ＤＣＨ絶対的許可チャネル（Ｅ−ＡＧＣＨ））。ＬＴＥシステムでは、ＷＴＲＵ１００は、関連の搬送波上のＰＤＣＣＨおよびＰＤＳＣＨ受信を停止することができる。
【００４９】
ＷＴＲＵ１００は、関連の搬送波についてＥ−ＤＣＨおよびＨＳ−ＤＳＣＨ  ＨＡＲＱエンティティをフラッシュおよびクリアする（そのようなエンティティが特定の搬送波に関連付けられている場合）、または、無線リンク失敗が決定されている少なくともその搬送波、または搬送波のセットについての情報を含めて、測定レポートの送信を開始する（無線リンク失敗が決定されていない少なくとも１つの搬送波がある場合）ことができる。
そのような情報は、無線リンク失敗が決定されている各搬送波について、１チップ当りのＣＰＩＣＨ送信電力（Ｅｃ）／干渉電力密度（Ｎｏ）もしくはＣＰＩＣＨ希望波受信電力（ＲＳＣＰ）、ＤＰＣＣＨ送信電力、および／またはＷＴＲＵパワーヘッドルームを含むことができる。
【００５０】
ＵＭＴＳまたはＬＴＥシステムでは、サービング周波数品質が所定の閾値未満に低下したとき、異周波数間測定がトリガされる。異周波数間測定を実行する必要があるとネットワークが判断した場合、ネットワークは、制御シグナリングを送ることができる。あるイベントを測定値と共にシグナリングすることもできる。
【００５１】
測定レポートを送信するために、新しいイベントを定義し、特定の搬送波上で無線リンク失敗を特にレポートすることができる。あるいは、この条件をカバーするように、既存のイベントを拡張することができる。すなわち、現行システムの基準、またはその搬送波のための追加の無線リンク失敗基準を使用して、既存のイベントをトリガすることができる。
【００５２】
あるいは、異周波数間（ｉｎｔｅｒ−ｆｒｅｑｕｅｎｃｙ）イベントを拡張し、失敗が生じたが、または補助搬送波の品質が閾値未満に低下したが、他方のセルの品質は依然として十分であり、任意選択で、それが所与の周波数において依然として最良のセルであることについてレポートすることができる。ＷＴＲＵ１００は、既存のＲＲＣプロトコル機構（すなわち、「測定レポート」ＲＲＣメッセージまたは「測定レポート」情報要素（ＩＥ））の１つを使用して測定レポートを送信することも、特にこの目的のために新しいＲＲＣメッセージを定義することもできる。
【００５３】
同梱アップリンクパワーヘッドルーム（ＵＰＨ）測定が残りの搬送波に関する場合、スケジューリング情報の送信をトリガすることができる。あるいは、ＵＰＨフィールドは、特別な値（たとえば、０）を担持する。
【００５４】
無線リンクが関連の搬送波（１つまたは複数）について失敗したというレイヤ２（たとえば、媒体アクセス制御（ＭＡＣ）または無線リンク制御（ＲＬＣ））での指示の送信をもトリガすることができる。たとえば、ＭＡＣヘッダの特別なフィールドを、特別な論理チャネルアイデンティティ（ＩＤ）の使用、ＭＡＣ−Ｉヘッダの使用可能な予備値のうちの１つの使用、または論理チャネルアイデンティティ値１１１１に続く予備ビットによって定義し示すことができる。このフィールドもまた、どの搬送波、または搬送波のどのセットが失敗したか示すことができる。
【００５５】
関連の搬送波（１つまたは複数）についてネットワークに無線リンク失敗を示す特別な値と共に送信されるように、ＣＱＩレポートをトリガすることができる。
【００５６】
無線リンク監視は、関連の搬送波上でＷＴＲＵ１００によって、また関連の搬送波についての無線リンク失敗が決定されたことによって停止されてもよい。
【００５７】
あるいは、関連の搬送波上での送受信手順の停止は、ネットワークからの明示的な指示が受信された後で、ＷＴＲＵ１００によって実行されてもよい。
【００５８】
あるいは、ＷＴＲＵ１００は、無線リンク失敗が１つの搬送波で発生したとしても、すべての搬送波上ですべての無線リソースを解放することができる。
【００５９】
すべての搬送波上でのＨＳ−ＤＳＣＨ受信手順およびＥ−ＤＣＨ送信手順もまた、無線リンク失敗を検出したとき停止することができる。
【００６０】
すべての搬送波についてのＥ−ＤＣＨおよびＨＳ−ＤＳＣＨ  ＨＡＲＱエンティティをクリアすることができる。
【００６１】
ＷＴＲＵ１００は、通常無線リンク失敗を起因としてセル更新手順を開始することができ、どの搬送波の無線リンク失敗がセル更新メッセージ内で決定されているか示す。次いで、ＷＴＲＵ１００は、下りアクセスチャネルセル（Ｃｅｌｌ＿ＦＡＣＨ）に移行することができ、そこで個別チャネルが使用不可にされ、通信は、共通チャネル上で実行される。
【００６２】
搬送波についての無線リンク失敗が決定されたとき実行されるアクション
以下で述べるように、（関連の搬送波がアンカー搬送波である場合）アンカー搬送波上で、または（関連の搬送波が補助搬送波である場合）補助搬送波上で、無線リンク失敗が決定されたとき、ＷＴＲＵ１００によっていくつかのアクションを実行させることができる。
【００６３】
両搬送波についての無線リンク失敗が決定されたとき、または無線リンク監視用に残されていた残りの搬送波が無線リンク失敗状態にあると決定された場合、またはアンカー搬送波において無線リンク失敗が決定された場合には、（無線リンク失敗が補助搬送波上で決定されていない場合であっても）、ＷＴＲＵ１００は、すべての搬送波（またはその残りの搬送波）を解放し、かつ／またはすべての搬送波上でＨＳ−ＤＳＣＨ受信手順およびＥ−ＤＣＨ送信手順（適用可能な場合）を停止することができる。後者の場合、ＷＴＲＵ１００は、そのようにするためにネットワークからの信号（たとえば、アンカー搬送波上もしくは補助搬送波上でのＨＳ−ＳＣＣＨ命令、またはより高いレイヤからの指示）を待つことができる。
【００６４】
また、ＷＴＲＵ１００は、すべての搬送波についてＥ−ＤＣＨおよびＨＳ−ＤＳＣＨ  ＨＡＲＱエンティティをフラッシュおよびクリアし、または無線リンク失敗を起因としてセル更新手順を開始することができる。ＷＴＲＵ１００は、セル更新メッセージ内でどの搬送波についての無線リンク失敗が決定されているか、おそらくは無線リンク失敗が該当するすべての搬送波を列挙して示すことができ、あるいは、特別な値により、無線リンク失敗がすべての搬送波について決定されていることを示すことができる。次いで、ＷＴＲＵ１００は、Ｃｅｌｌ＿ＦＡＣＨまたは別の状態に移行することができる。
【００６５】
ＷＴＲＵ１００が補助搬送波上の無線リンク失敗を決定したとき（すなわち、補助無線リンク失敗）、ＷＴＲＵ１００は、Ｅ−ＤＣＨ送信／受信手順を、また任意選択で、補助搬送波上のＨＳ−ＤＳＣＨ受信を、一時中断（サスペンド）することができる。すなわち、ＷＴＲＵ１００は、二次アップリンク周波数上で送信するのを停止することができ、それによりその搬送波上でのＥ−ＤＣＨ動作（送信および受信）を停止することができる。
任意選択で、ＷＴＲＵ１００は、二次サービングＨＳ−ＤＳＣＨセル上でのＨＳ−ＤＳＣＨ受信を一時中断することもできる。関連するリソースをすべてクリアするのではなく、ＷＴＲＵ１００は、Ｆ−ＤＰＣＨ、Ｅ−ＤＣＨ、およびＨＳ−ＤＳＣＨについての設定情報を保持することができる。ＷＴＲＵ１００は、同期を、任意選択で所与の時間枠について再確立することを期待して、補助搬送波におけるＦ−ＤＰＣＨを引き続き監視することができる。ＷＴＲＵ１００は、後で、ネットワークによって明示的なシグナリングを介して（たとえば、ＲＲＣメッセージまたはＨＳ−ＳＣＣＨ命令を介して）指示されたときアップリンク動作を再開することができる。
【００６６】
同期再確立（ｓｙｎｃｈｒｏｎｉｚａｔｉｏｎ  ｒｅ−ｅｓｔａｂｌｉｓｈｍｅｎｔ;同期回復ともいう）を決定するために、ＷＴＲＵ１００は、新しい同期手順を開始する、または（任意選択で、後検証なしで）同期手順Ａを再スタートする。一つの方法では、ＷＴＲＵ１００は、この新しい手順を、無線リンク失敗後、所与の時間枠の後で開始することができる。すなわち、無線リンク失敗が発生したとき、ＷＴＲＵ１００は、タイマを始動する。この新しいタイマが満了したとき、ＷＴＲＵ１００は、新しい同期手順を開始する。ＷＴＲＵ１００が同期手順Ａを使用する場合、補助無線リンク失敗の後で、同期再確立のためにパラメータをスケーリングすることができる。新しい同期手順のためのパラメータおよび／またはスケーリングパラメータは、ハードコードされても、あるいはシステム情報の一部として含まれてもよい。
【００６７】
無線リンク失敗がアンカー搬送波にあるとＷＴＲＵ１００が決定したとき、ＷＴＲＵ１００は、補助搬送波がアンカー搬送波になることを要求することができる。これは、アンカー搬送波が両搬送波用の何らかの制御情報を搬送する、および／またはＷＴＲＵ１００がアンカー搬送波上で（両搬送波用の）何らかの制御情報を送る場合に最も関係がある。
無線リンク失敗を検出したとき、ＷＴＲＵ１００は、補助搬送波上で電力制御を受けることができ、全ての制御チャネルがこの搬送波に移動されていることを条件に、この搬送波上でＥ−ＤＣＨ送受信、また任意選択でＨＳ−ＤＳＣＨ送受信を継続することができる。
【００６８】
次いで、ＷＴＲＵ１００は、アンカー搬送波上での送信および受信を停止し、補助搬送波をアンカー搬送波に昇格させるためにネットワークに指示を送ることができる。これは、（上述のように）補助搬送波で送信される測定レポートを介して、または何らかのレイヤ１またはレイヤ２機構を介して行うことができる。次いで、ネットワークは、これを補助搬送波を昇格させるための要求として使用することができる。次いで、ネットワークは、欠けているアップリンク制御チャネルおよびダウンリンク制御チャネルを補助搬送波上でセットアップするために、必要な設定情報をＷＴＲＵ１００に送ることができる。
【００６９】
無線リンク失敗後、ＷＴＲＵ１００が新しい制御チャネル情報を受信する前に、ＷＴＲＵ１００は、Ｅ−ＤＣＨおよびＨＳ−ＤＳＣＨ制御情報の縮小されたセットを用いて「遷移」モードで動作しなければならない。ＷＴＲＵ１００は、このモードで（システム情報内で予め設定された、またはシグナリングされた）有限時間の間、動作するように設定されてもよい。新しい制御設定情報が期限内に受信されない場合には、ＷＴＲＵ１００は、無線リンク失敗を宣言し、上述のように続行することができる。
【００７０】
あるいは、ＷＴＲＵ１００は、補助搬送波とアンカー搬送波の交換を要求することができる。ネットワークが要求を受け入れた場合には、新しいアンカー搬送波用の設定情報が受信された後で、ＷＴＲＵ１００は、新しい補助搬送波（無線リンク失敗を受けた元のアンカー搬送波）の品質を引き続き監視し、この搬送波との同期を再確立しようと試みることができる。上述のように、ＷＴＲＵ１００は、新しい同期手順、または修正された同期手順Ａを使用することができる。
【００７１】
ネットワークは、ある搬送波、または搬送波のセット上での無線リンク失敗状態を、自律的に、またはＷＴＲＵ１００からの明示的な指示を介して決定したとき、ネットワークは、関連の搬送波上でＷＴＲＵ１００をスケジューリングするのを停止し、（たとえば、ＨＳ−ＳＣＣＨ命令、または搬送波を非活動化するためのＲＲＣメッセージを送ることによって）関連の搬送波を使用不可にし、または同じノードＢ内の別の周波数でＷＴＲＵ１００を設定することができる。
【００７２】
シングル電力制御ループ
シングル電力制御ループ（すなわち、送信電力制御（ＴＰＣ）コマンドを交換するＦ−ＤＰＣＨチャネルとＤＰＣＣＨチャネルの１つの対）があるとき、ＷＴＲＵ１００は、アンカーセル上で（ダウンリンク）Ｆ−ＤＰＣＨチャネルの品質を監視することができる。
しかし、これは、アンカーセルについて無線リンク監視を提供するものである。ＷＴＲＵ１００は、以下の基準、すなわち関連の搬送波上の測定されたＣＰＩＣＨ  ＲＳＣＰが、決定された期間の間、閾値未満のままであること、関連の搬送波上の測定されたＣＰＩＣＨ  Ｅｃ／Ｎｏが、決定された期間の間、閾値未満のままであること、失敗した高速物理ダウンリンク共有チャネル（ＨＳ−ＰＤＳＣＨ）プロトコルデータユニット（ＰＤＵ）受信の数が閾値より高くなること、全ＨＳ−ＰＤＳＣＨ  ＰＤＵ受信に対する失敗したＨＳ−ＰＤＳＣＨ  ＰＤＵ受信の比率（ＨＡＲＱブロック誤り率（ＢＬＥＲ））、または決定された期間にわたるその移動平均が閾値より高くなること、ＣＱＩ値が、決定された期間の間、閾値未満に低下している、または決定された期間の間、ゼロであること、のうちの１つまたはそれらの組合せを使用して、補助搬送波のうちの１つで無線リンクが不十分な品質のものであると決定することができる。
【００７３】
上記の基準のうちの１つまたは組合せが満たされたとき、物理レイヤは、無線リンク失敗（または同等の指示）をより高いレイヤに対して示す。あるいは、ＷＴＲＵ１００は、無線リンク獲得／無線リンク失敗機構を使用することなしに、関連の補助搬送波の無線リンクが失敗したと直接決定することができる。
【００７４】
ＷＴＲＵ１００は、以下の基準、すなわち関連の搬送波上の測定されたＣＰＩＣＨ  ＲＳＣＰが、決定された期間の間、閾値よりも高いままであること、関連の搬送波上の測定されたＣＰＩＣＨ  Ｅｃ／Ｎｏが、決定された期間の間、閾値よりも高いままであること、失敗したＨＳ−ＰＤＳＣＨ  ＰＤＵ受信の数が閾値よりも低くなること、全ＨＳ−ＰＤＳＣＨ  ＰＤＵ受信に対する失敗したＨＳ−ＰＤＳＣＨ  ＰＤＵ受信の比率（ＨＡＲＱ  ＢＬＥＲ）、または決定された期間にわたるその移動平均が閾値よりも低くなること、のうちの１つまたはそれらの組合せに基づいて、補助搬送波のうちの１つにおいて無線リンクが良好な品質のものであると決定することができる。
【００７５】
上記の基準のうちの１つまたは組合せが、ある搬送波について満たされたときには、物理レイヤは無線リンク獲得（または同等の指示）を関連の搬送波についてのより高いレイヤに示す。ＷＴＲＵ１００は、関連の搬送波の品質が閾値よりも高いこと、および受信を開始することができることを示すＲＲＣメッセージを送ることもできる。そのような動作は、既存の測定イベントの拡張を介して行うことができる。あるいは、予め定義された期間の間、任意選択でアンカーＣＰＩＣＨ品質が依然としてそのセルを所与の搬送波内の最良のセルとして位置づけている間、補助搬送波ＣＰＩＣＨ測定値が閾値よりも高くなったことをＷＴＲＵ１００がネットワークにレポートすることができるように、新しい測定イベントを定義することができる。
【００７６】
無線リンク失敗、またはシングル電力制御ループとの無線リンク失敗が決定されたとき実行されるアクション
補助搬送波（すなわち、電力制御ループが活動状態でない搬送波）の無線品質が不十分であるとＷＴＲＵ１００が決定したとき、ＷＴＲＵ１００は、関連の搬送波について、ＣＱＩの特別な値（たとえば、０または３１）をレポートすることができ、または、ＲＲＣメッセージをネットワークに送り、補助搬送波の品質が閾値未満であることをネットワークに通知することができる。ネットワークへの通知は、測定レポートメッセージの使用を介して行うことができる。既存のイベントを使用および拡張し、補助セルの品質が閾値未満に低下したことを示すことができる。あるいは、イベントを拡張し、補助搬送波の品質が閾値未満に低下した一方、他方の周波数が依然としてその最良のセル内にあることをネットワークに通知することができる。別の代替は、新しいイベントタイプを定義することである。これらのイベントは、やはりＷＴＲＵ１００が補助搬送波およびアンカー搬送波のＲＳＣＰまたはＥｃ／Ｎｏ値を送ることができるように拡張することができ、補助搬送波ＣＰＩＣＨ測定値が閾値未満に低下していても、アンカー搬送波が最良のセルのままである間にトリガすることができる。
【００７７】
また、ＷＴＲＵ１００は、（上記で示されているような）レイヤ２シグナリングを使用し、補助セルの品質が閾値未満であることを示すことができる。
【００７８】
ＷＴＲＵ１００は、不十分な品質が補助搬送波上で検出された後で、関連の搬送波に関連するＣＱＩをレポートするのを停止する（すなわち、ＨＳ−ＤＰＣＣＨの適切なフィールドをＤＴＸ（不連続送信）にする）、かつ／または関連の搬送波に関連する受信手順を停止することができる。
【００７９】
あるいは、受信手順は、ＲＲＣメッセージ、ＨＳ−ＳＣＣＨ命令、またはレイヤ２メッセージなどによって、ネットワークから明示的な指示があったときに、割り込まれてもよい。
【００８０】
さらに、ＷＴＲＵ１００は、その搬送波についての無線リンク失敗が決定されたとき、ＷＴＲＵ１００のアクションに関する、上記で開示されている関連のアクションを実行することもできる。
【００８１】
シングル電力制御ループ用に開示されているアクションは、デュアル電力制御ループ動作にも適用可能とすることができる。
【００８２】
実施形態
１．無線送受信ユニット（ＷＴＲＵ）によって実施される、デュアルキャリア動作を実行する方法であって、
アンカー搬送波および補助搬送波についての無線リンク獲得指示を監視するステップと、
予め定義された数の無線リンク獲得指示を計数することなしに、予め定義された時間量が経過することを条件に、物理チャネル失敗を宣言するステップと
を含むことを特徴とする方法。
【００８３】
２．前記アンカー搬送波用の第１のタイマを開始するステップと、
前記補助搬送波用の第２のタイマを開始するステップと、
第１のカウンタを使用して前記アンカー搬送波についての無線リンク獲得指示を監視するステップと、
第２のカウンタを使用して前記補助搬送波についての無線リンク獲得指示を監視するステップと、
予め定義された数の無線リンク獲得指示が前記カウンタの一方によって計数される前に、前記第１のタイマまたは前記第２のタイマのいずれかが満了することを条件に前記物理チャネル失敗を宣言するステップと
をさらに含むことを特徴とする実施形態１記載の方法。
【００８４】
３．前記ＷＴＲＵは、前記物理チャネル失敗に関連する前記搬送波上でのアップリンク送信を停止し、確立された物理チャネルを有する前記搬送波上でアップリンク送信を継続することを特徴とする実施形態１または２記載の方法。
【００８５】
４．前記無線リンク獲得指示がレイヤ１（Ｌ１）エンティティから受信されることを特徴とする実施形態１ないし３のいずれか一項に記載の方法。
【００８６】
５．前記物理チャネル失敗が前記補助搬送波で宣言されることを条件に、前記補助搬送波上でのアップリンク送信および拡張個別チャネル（Ｅ−ＤＣＨ）動作を停止するステップと、
前記アンカー搬送波上でアップリンク送信およびＥ−ＤＣＨ送信動作を継続するステップと
をさらに含むことを特徴とする実施形態１ないし４のいずれか一項に記載の方法。
【００８７】
６．予め定義された数の無線リンク獲得指示が前記カウンタの一方によって計数されることを条件に、前記第１のタイマおよび前記第２のタイマを、満了する前に停止およびリセットするステップをさらに含むことを特徴とする実施形態２ないし５のいずれか一項に記載の方法。
【００８８】
７．無線送受信ユニット（ＷＴＲＵ）によって実施される、デュアルキャリア動作を実施する方法であって、
第１のカウンタを使用してアンカー搬送波についての無線リンク失敗指示を監視するステップと、
第２のカウンタを使用して補助搬送波についての無線リンク失敗指示を監視するステップと、
前記アンカー搬送波についての無線リンク失敗指示の第１の予め定義された数に達したと前記第１のカウンタによって決まることを条件に、第１のタイマを開始するステップと、
前記補助搬送波についての無線リンク失敗指示の第２の予め定義された数に達したと前記第２のカウンタによって決まることを条件に、第２のタイマを開始するステップと、
第３のカウンタを使用して前記アンカー搬送波についての無線リンク獲得指示を監視するステップと、
第４のカウンタを使用して前記補助搬送波についての無線リンク獲得指示を監視するステップと、
予め定義された数の無線リンク獲得指示が前記第３のカウンタおよび前記第４のカウンタによって計数されることを条件に、前記第１のタイマおよび前記第２のタイマを停止およびリセットするステップと
を含むことを特徴とする方法。
【００８９】
８．前記無線リンク獲得指示および前記無線リンク失敗指示がレイヤ１（Ｌ１）エンティティから受信されることを特徴とする実施形態７記載の方法。
【００９０】
９．予め定義された数の無線リンク獲得指示が前記第３のカウンタによって計数される前に前記第１のタイマが満了したことを条件に、前記アンカー搬送波上での無線リンク失敗を宣言するステップと、
すべての搬送波についてアップリンク送信および拡張個別チャネル（Ｅ−ＤＣＨ）送信動作を停止するステップと、
セル更新手順を開始するステップと
をさらに含むことを特徴とする実施形態７ないし８のいずれか一項に記載の方法。
【００９１】
１０．すべての搬送波についてダウンリンク受信および高速ダウンリンク共有チャネル（ＨＳ−ＤＳＣＨ）動作を停止するステップをさらに含むことを特徴とする実施形態９に記載の方法。
【００９２】
１１．予め定義された数の無線リンク獲得指示が前記第４のカウンタによって計数される前に前記第２のタイマが満了することを条件に、前記補助搬送波上での無線リンク失敗を宣言するステップと、
前記補助搬送波についてアップリンク送信および拡張個別チャネル（Ｅ−ＤＣＨ）送信動作を停止するステップと
をさらに含むことを特徴とする実施形態７ないし１０のいずれか一項に記載の方法。
【００９３】
１２．デュアルキャリア動作を実行するための無線送受信ユニット（ＷＴＲＵ）であって、
第１のタイマと、
第２のタイマと、
前記第１のタイマが開始された後でアンカー搬送波についての無線リンク獲得指示を監視するように構成された第１のカウンタと、
前記第２のタイマが開始された後で補助搬送波についての無線リンク獲得指示を監視するように構成された第２のカウンタと
を備え、予め定義された数の無線リンク獲得指示が前記カウンタの一方によって計数される前に、前記第１のタイマまたは前記第２のタイマのどちらかが満了することを条件に、物理チャネル失敗が宣言されることを特徴とするＷＴＲＵ。
【００９４】
１３．前記ＷＴＲＵは、前記物理チャネル失敗に関連する前記搬送波上でのアップリンク送信を停止し、確立された物理チャネルを有する前記搬送波上でアップリンク送信を継続することを特徴とする実施形態１２に記載のＷＴＲＵ。
【００９５】
１４．前記無線リンク獲得指示がレイヤ１（Ｌ１）エンティティから受信されることを特徴とする実施形態１２ないし１３のいずれか一項に記載のＷＴＲＵ。
【００９６】
１５．前記物理チャネル失敗が前記補助搬送波で宣言されることを条件に、前記補助搬送波上でのアップリンク送信および拡張個別チャネル（Ｅ−ＤＣＨ）動作を停止し、前記アンカー搬送波上でアップリンク送信およびＥ−ＤＣＨ送信動作を継続することを特徴とする実施形態１２ないし１４のいずれか一項に記載のＷＴＲＵ。
【００９７】
１６．予め定義された数の無線リンク獲得指示が前記カウンタの一方によって計数されることを条件に、前記第１のタイマおよび前記第２のタイマが、満了する前に、停止およびリセットされることを特徴とする実施形態１２ないし１５のいずれか一項に記載のＷＴＲＵ。
【００９８】
１７．デュアルキャリア動作を実行するための無線送受信ユニット（ＷＴＲＵ）であって、
アンカー搬送波についての無線リンク失敗指示を監視するように構成された第１のカウンタと、
補助搬送波についての無線リンク失敗指示を監視するように構成された第２のカウンタと、
前記アンカー搬送波についての無線リンク失敗指示が第１の所定の数に達したと前記第１のカウンタによって決まることを条件に開始されるように構成された第１のタイマと、  前記補助搬送波についての無線リンク失敗指示が第２の所定の数に達したと前記第２のカウンタによって決まることを条件に開始されるように構成された第２のタイマと、
前記アンカー搬送波についての無線リンク獲得指示を監視するように構成された第３のカウンタと、
前記補助搬送波についての無線リンク獲得指示を監視するように構成された第４のカウンタと
を備え、予め定義された数の無線リンク獲得指示が前記第３のカウンタおよび前記第４のカウンタによって計数されることを条件に、前記第１のタイマおよび前記第２のタイマが停止およびリセットされることを特徴とするＷＴＲＵ。
【００９９】
１８．前記無線リンク獲得指示および前記無線リンク失敗指示がレイヤ１（Ｌ１）エンティティから受信されることを特徴とする実施形態１７記載のＷＴＲＵ。
【０１００】
１９．予め定義された数の無線リンク獲得指示が前記第３のカウンタによって計数される前に前記第１のタイマが満了したことを条件に、前記アンカー搬送波上での無線リンク失敗が宣言され、すべての搬送波についてアップリンク送信および拡張個別チャネル（Ｅ−ＤＣＨ）送信動作が停止され、セル更新手順が開始されることを特徴とする実施形態１７ないし１８のいずれか一項に記載のＷＴＲＵ。
【０１０１】
２０．すべての搬送波についてダウンリンク受信および高速ダウンリンク共有チャネル（ＨＳ−ＤＳＣＨ）動作を停止することを特徴とする実施形態１７ないし１９のいずれか一項に記載のＷＴＲＵ。
【０１０２】
２１．予め定義された数の無線リンク獲得指示が前記第４のカウンタによって計数される前に前記第２のタイマが満了することを条件に、前記補助搬送波上での無線リンク失敗が宣言され、前記補助搬送波についてアップリンク送信および拡張個別チャネル（Ｅ−ＤＣＨ）送信動作が停止されることを特徴とする実施形態１７ないし２０のいずれか一項に記載のＷＴＲＵ。
【０１０３】
上記では特徴および要素が特定の組合せで述べられているが、各特徴および要素は、他の特徴および要素なしの単独で、または他の特徴および要素との、もしくは他の特徴および要素を用いない様々な組合せで使用することができる。本明細書において提供されている方法または流れ図は、汎用コンピュータまたはプロセッサによって実行するためのコンピュータ可読記憶媒体内に組み込まれるコンピュータプログラム、ソフトウェア、またはファームウェアで実行することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクや取外し式ディスクなど磁気媒体、光磁気媒体、ならびにＣＤ−ＲＯＭディスクおよびデジタル多目的ディスク（ＤＶＤ）など光媒体を含む。
【０１０４】
好適なプロセッサは、例として、汎用プロセッサ、専用プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、ならびに任意の他のタイプの集積回路（ＩＣ）、および／または状態機械を含む。
【０１０５】
ソフトウェアに関連付けられたプロセッサを使用し、無線送受信ユニット（ＷＴＲＵ）、ユーザ機器（ＵＥ）、端末、基地局、無線ネットワークコントローラ（ＲＮＣ）、または任意のホストコンピュータ内で使用するための無線周波数トランシーバを実施することができる。ＷＴＲＵは、カメラ、ビデオカメラモジュール、テレビ電話、スピーカフォン、振動デバイス、スピーカ、マイクロフォン、テレビトランシーバ、ハンドフリー用ハンドセット、キーボード、Ｂｌｕｅｔｏｏｔｈ（登録商標）モジュール、周波数変換（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意の無線構内通信網（ＷＬＡＮ）モジュールもしくは超広帯域無線（ＵＷＢ）モジュールなど、ハードウェアおよび／またはソフトウェアで実施されるモジュールと共に使用することができる。
【図１Ａ】
2014140215.tif 000003
【図１Ｂ】
2014140215.tif 000004
【図１Ｃ】
2014140215.tif 000005
【図１Ｄ】
2014140215.tif 000006
【図２】
2014140215.tif 000007
【図３】
2014140215.tif 000008
【図４Ａ】
2014140215.tif 000009
【図４Ｂ】
2014140215.tif 000010
【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）によって実行される、デュアルキャリア動作を実行する方法であって、前記方法は、
物理チャネル確立手順をアンカー搬送波および補助搬送波上で実行するステップであって、前記ＷＴＲＵは、前記アンカー搬送波および前記補助搬送波上で送信および受信する、ステップと、
前記物理チャネル確立手順中に、所定数の同期表示が第１のカウンタによってカウントされる前に第１のタイマーが満了することを条件に、前記アンカー搬送波上での物理チャネル確立失敗を宣言するステップと、
前記物理チャネル確立手順中に、前記所定数の同期表示が第２のカウンタによってカウントされる前に第２のタイマーが満了することを条件に、前記補助搬送波上での物理チャネル確立失敗を宣言するステップと、
前記補助搬送波上での前記物理チャネル確立失敗が宣言されることを条件に、前記補助搬送波上でのアップリンク送信を中止するステップと、
前記補助搬送波上での前記物理チャネル確立失敗が宣言されることを条件に、前記補助搬送波上でのフラクショナル個別物理チャネル（Ｆ−ＤＰＣＨ）受信を中止するステップと
を備えたことを特徴とする方法。
【請求項２】
前記アンカー搬送波上での前記物理チャネル確立失敗が宣言されることを条件に、以前の設定に戻すステップをさらに備えたことを特徴とする請求項１に記載の方法。
【請求項３】
前記補助搬送波上での前記物理チャネル確立失敗が宣言されることを条件に、前記補助搬送波上での拡張個別チャネル（Ｅ−ＤＣＨ）動作が中止され、ならびに前記アンカー搬送波上でのアップリンク送信およびＥ−ＤＣＨ動作が継続されることを特徴とする請求項１に記載の方法。
【請求項４】
前記所定数の同期表示が前記第１のカウンタによってカウントされることを条件に、前記第１のタイマーが満了する前に、前記第１のタイマーを停止し、および前記第１のタイマーをリセットするステップと、
前記所定数の同期表示が前記第２のカウンタによってカウントされることを条件に、前記第２のタイマーが満了する前に、前記第２のタイマーを停止し、および前記第２のタイマーをリセットするステップと
をさらに備えたことを特徴とする請求項１に記載の方法。
【請求項５】
前記アンカー搬送波上での前記物理チャネル確立失敗が宣言されることを条件に、前記補助搬送波上での拡張個別チャネル（Ｅ−ＤＣＨ）送信を中止するステップをさらに備えたことを特徴とする請求項１に記載の方法。
【請求項６】
前記同期表示は、レイヤ１（Ｌ１）エンティティから受信されることを特徴とする請求項１に記載の方法。
【請求項７】
無線送受信ユニット（ＷＴＲＵ）によって実行される、デュアルキャリア動作を実行する方法であって、前記方法は、
物理チャネル確立手順をアンカー搬送波および補助搬送波上で実行するステップであって、前記ＷＴＲＵは、前記アンカー搬送波および前記補助搬送波上で送信および受信する、ステップと、
所定数の連続的な非同期表示が前記アンカー搬送波に対して達されることを条件に、第１のタイマーを起動するステップと、
前記所定数の連続的な非同期表示が前記補助搬送波に対して達されることを条件に、第２のタイマーを起動するステップと、
所定数の同期表示がカウントされることを条件に、前記第１のタイマーを停止しおよびリセットするステップと、
前記所定数の同期表示がカウントされることを条件に、前記第２のタイマーを停止しおよびリセットするステップと、
前記所定数の同期表示がカウントされる前に前記第２のタイマーが満了することを条件に、前記補助搬送波上での無線リンク確立失敗を宣言するステップと、
前記補助搬送波上での前記無線リンク確立失敗が宣言されることを条件に、前記補助搬送波上でのアップリンク送信および拡張個別チャネル（Ｅ−ＤＣＨ）送信を中止するステップと、
前記補助搬送波上での前記無線リンク確立失敗が宣言されることを条件に、前記補助搬送波上でのフラクショナル個別物理チャネル（Ｆ−ＤＰＣＨ）受信を中止するステップと
を備えたことを特徴とする方法。
【請求項８】
前記同期表示および前記非同期表示は、レイヤ１（Ｌ１）エンティティから受信されることを特徴とする請求項７に記載の方法。
【請求項９】
前記所定数の同期表示がカウントされる前に前記第１のタイマーが満了することを条件に、前記アンカー搬送波上での無線リンク確立失敗を宣言するステップと、
前記アンカー搬送波上での前記無線リンク確立失敗が宣言されることを条件に、前記アンカー搬送波および前記補助搬送波上でのアップリンク送信および拡張個別チャネル（Ｅ−ＤＣＨ）送信動作を中止するステップと、
前記アンカー搬送波上での前記無線リンク確立失敗が宣言されることを条件に、セル更新手順を起動するステップと
をさらに備えたことを特徴とする請求項７に記載の方法。
【請求項１０】
前記アンカー搬送波上での前記無線リンク確立失敗が宣言されることを条件に、前記アンカー搬送波および前記補助搬送波上でのダウンリンク受信および高速ダウンリンク共有チャネル（ＨＳ−ＤＳＣＨ）動作を中止するステップをさらに備えたことを特徴とする請求項９に記載の方法。
【請求項１１】
デュアルキャリア動作を実行する無線送受信ユニット（ＷＴＲＵ）であって、前記ＷＴＲＵは、
物理チャネル確立手順をアンカー搬送波および補助搬送波上で実行するように構成されたプロセッサであって、前記ＷＴＲＵは、前記アンカー搬送波および前記補助搬送波上で送信および受信する、プロセッサと、
前記物理チャネル確立手順中に、所定数の同期表示が第１のカウンタによってカウントされる前に第１のタイマーが満了することを条件に、前記アンカー搬送波上での物理チャネル確立失敗を宣言するようにさらに構成された前記プロセッサと、
前記物理チャネル確立手順中に、前記所定数の同期表示が第２のカウンタによってカウントされる前に第２のタイマーが満了することを条件に、前記補助搬送波上での物理チャネル確立失敗を宣言するように構成された前記プロセッサと、
前記補助搬送波上での前記物理チャネル確立失敗が宣言されることを条件に、前記補助搬送波上でのアップリンク送信を中止するように構成された送信機と、
前記補助搬送波上での前記物理チャネル確立失敗が宣言されることを条件に、前記補助搬送波上でのフラクショナル個別物理チャネル（Ｆ−ＤＰＣＨ）受信を中止するように構成された受信機と
を備えたことを特徴とするＷＴＲＵ。
【請求項１２】
前記プロセッサは、前記アンカー搬送波上での前記物理チャネル確立失敗が宣言されることを条件に、以前の設定に戻すようにさらに構成されたことを特徴とする請求項１１に記載のＷＴＲＵ。
【請求項１３】
前記補助搬送波上での前記物理チャネル確立失敗が宣言されることを条件に、前記補助搬送波上での拡張個別チャネル（Ｅ−ＤＣＨ）送信が中止され、および前記アンカー搬送波上でのアップリンク送信およびＥ−ＤＣＨ動作が継続されることを特徴とする請求項１１に記載のＷＴＲＵ。
【請求項１４】
前記第１のタイマーは、前記所定数の同期表示が前記第１のカウンタによってカウントされることを条件に、前記第１のタイマーが満了する前に、停止されおよびリセットされ、ならびに前記第２のタイマーは、前記所定数の同期表示が第２のカウンタによってカウントされることを条件に、前記第２のタイマーが満了する前に、停止されおよびリセットされることを特徴とする請求項１１に記載のＷＴＲＵ。
【請求項１５】
前記送信機は、前記アンカー搬送波上での前記物理チャネル確立失敗が宣言されることを条件に、前記補助搬送波上での拡張個別チャネル（Ｅ−ＤＣＨ）送信を中止するようにさらに構成されたことを特徴とする請求項１１に記載のＷＴＲＵ。
【請求項１６】
デュアルキャリア動作を実行する無線送受信ユニット（ＷＴＲＵ）であって、前記ＷＴＲＵは、
物理チャネル確立手順をアンカー搬送波および補助搬送波上で実行するように構成されたプロセッサであって、前記ＷＴＲＵは、前記アンカー搬送波および前記補助搬送波上で送信および受信する、プロセッサと、
所定数の連続的な非同期表示が前記アンカー搬送波に対して達されることを条件に、起動されるように構成された第１のタイマーと、
前記所定数の連続的な非同期表示が前記補助搬送波に対して達されることを条件に、起動されるように構成された第２のタイマーと、
所定数の同期表示がカウントされることを条件に、前記第１のタイマーを停止しおよびリセットするようにさらに構成された前記プロセッサと、
前記所定数の同期表示がカウントされることを条件に、停止され、およびリセットされるようにさらに構成された前記第２のタイマーと、
前記所定数の同期表示がカウントされる前に前記第２のタイマーが満了することを条件に、前記補助搬送波上での無線リンク確立失敗を宣言するようにさらに構成された前記プロセッサと、
前記補助搬送波上での前記無線リンク確立失敗が宣言されることを条件に、前記補助搬送波上でのアップリンク送信および拡張個別チャネル（Ｅ−ＤＣＨ）送信を中止するように構成された送信機と、
前記補助搬送波上での前記無線リンク確立失敗が宣言されることを条件に、前記補助搬送波上でのフラクショナル個別物理チャネル（Ｆ−ＤＰＣＨ）受信を中止するようにさらに構成された前記送信機と
を備えたことを特徴とするＷＴＲＵ。
【請求項１７】
前記同期表示および非同期表示は、レイヤ１（Ｌ１）エンティティから受信されることを特徴とする請求項１６に記載のＷＴＲＵ。
【請求項１８】
前記プロセッサは、前記所定数の同期表示がカウントされる前に前記第１のタイマーが満了することを条件に、前記アンカー搬送波上での無線リンク確立失敗を宣言するようにさらに構成され、
前記送信機は、前記アンカー搬送波上での前記無線リンク確立失敗が宣言されることを条件に、前記アンカー搬送波および前記補助搬送波上でのアップリンク送信および拡張個別チャネル（Ｅ−ＤＣＨ）送信を中止するようにさらに構成され、
前記プロセッサは、前記アンカー搬送波上での前記無線リンク確立失敗が宣言されることを条件に、セル更新手順を起動するようにさらに構成される
ことを特徴とする請求項１６に記載のＷＴＲＵ。